(57)【要約】【課題】電磁放射波に対して敏感な機器、特に病院におけるそのような機器が存在する領域における無線ネットワークの付加的な応用分野を拡げる。【解決方法】送信機（３）を有する第１機器（２）と、送信機（３）の電磁放射波から保護されるべき第２機器（４）とを備え、両機器の少なくとも一方（２，４）は移動型（モバイル型）であり、両機器の一方（２，４）は他方の機器（４，２）の反射装置（５）と協動するワイヤレス問合せシステム（６）を含み、両機器の一方（２，４）は問合せシステム（６）及び反射装置（５）によって検出される他方の機器までの距離に応じて、通常動作モード（Ｎ２，Ｎ４）と比較的短い距離に対して設定される特別動作モード（Ｓ２，Ｓ４）との間で切替可能である無線ネットワークにおいて、送信機（３）を有する第１機器（２）の動作モード（Ｎ２，Ｓ２）は可変にされる。
2007502066.tif 000002
【特許請求の範囲】
【請求項１】
送信機（３）を有する第１機器（２）と、前記送信機（３）の電磁放射波から保護されるべき第２機器（４）とを備え、前記両機器の少なくとも一方（２，４）は移動型であり、前記両機器の一方（２，４）は他方の機器（４，２）の反射装置（５）と協動するワイヤレスの問合せシステム（６）を含み、前記両機器の一方（２，４）は前記問合せシステム（６）及び反射装置（５）によって検出された他方の機器までの距離に応じて、通常動作モード（Ｎ２，Ｎ４）と比較的短い距離に対して設定される特別動作モード（Ｓ２，Ｓ４）との間で切替可能である無線ネットワークにおいて、
前記送信機（３）を有する第１機器（２）の動作モード（Ｎ２，Ｓ２）が可変であることを特徴とする無線ネットワーク。
【請求項２】
前記送信機（３）が動作モード（Ｎ２，Ｓ２）に応じた送信出力を持っていることを特徴とする請求項１に記載の無線ネットワーク。
【請求項３】
前記両機器の一方（２，４）の特別動作モード（Ｓ２，Ｓ４）が警報出力を含んでいることを特徴とする請求項１または２に記載の無線ネットワーク。
【請求項４】
前記警報出力が前記第１機器（２）によって行われ、前記第２機器（４）へのさらなる接近の警告、及び／又は前記第２機器（４）までの必要とするより長い距離の指摘を含んでいることを特徴とする請求項３に記載の無線ネットワーク。
【請求項５】
前記警報出力が前記第２機器（４）によって行われ、前記第１機器（２）による前記第２機器（４）の危険について警告を含んでいることを特徴とする請求項３または４に記載の無線ネットワーク。
【請求項６】
２つの機器（２，４）、すなわち送信機（３）を有する無線ネットワークの第１機器（２）と、前記送信機（３）の電磁放射波から保護されるべき第２機器（４）との間の距離に応じた無線ネットワークの動作方法であって、前記両機器（２，４）間の距離に応じて非接触近接測定システム（５，６）によって制御されて、通常動作モード（Ｎ２，Ｎ４）と前記両機器（２，４）間の比較的短い距離に対して設定される特別動作モード（Ｓ２，Ｓ４）との間で切替が行われる無線ネットワークの動作方法において、
前記送信機（３）の特別動作モード（Ｓ２，Ｓ４）が低減された送信出力で駆動されることを特徴とする無線ネットワークの動作方法。
【請求項７】
前記送信機（３）の駆動が特別動作モード（Ｓ２，Ｓ４）への切替えによって停止されることを特徴とする請求項６に記載の方法。
【発明の詳細な説明】
【技術分野】
【０００１】
本発明は、無線ネットワーク、特に病院で用いるための無線ネットワーク、並びにネットワークの動作方法に関する。
【０００２】
ワイヤレス通信ネットワーク、特にＷＬＡＮ（ワイヤレス・ローカル・エリア・ネットワーク）なる呼称で知られている無線ネットワークは、しばしば建物内で用いられる。そのような無線ネットワークにおける使用上の制約はしばしば電磁波に対して敏感な機器、特に病院内の機器によって生じる。そのため、場合によっては電磁波によって影響されうる例えば人工呼吸器のような機器が存在する領域内では、通常、無線ネットワークの使用は断念せざるを得ない。
【０００３】
本発明の課題は、電磁放射波に対して敏感な機器、特に病院におけるそのような機器が存在する領域における無線ネットワークの付加的な応用分野を拡げることである。
【０００４】
この課題は本発明により、請求項１に記載の特徴を有する無線ネットワーク、及び請求項６に記載の特徴を有する無線ネットワークの動作方法によって解決される。その場合、第１機器は送信機を有するネットワークの機器であり、第２機器は送信機の電磁放射波から保護されるべき機器である。両機器の一方は、他方の機器の反射装置、特にトランスポンダと協動するワイヤレスの問合せシステムを備える。問合せシステムは反射装置と協動して、第１機器及び／又は第２機器に両機器間の距離について少なくとも粗情報を提供する非接触検出システムを形成する。好ましくは、送信機を有する無線ネットワークの機器は同時に問合せシステムをも装備し、他方、無線ネットワークの電磁放射波に関して敏感な第２機器は、好ましくはトランスポンダとして構成される反射装置を備える。このシステム構成において、電磁波による危険にさらされる第２機器、特に医療機器の電磁波負担が全体として監視され、調節されるようにすることができる。しかし、機器の形式及び大きさ等に応じて、無線ネットワークの電磁波から保護されるべき第２機器も非接触で動作する問合せシステムの送受信ユニットを備えることができ、他方、無線ネットワークの一部を形成する第１機器は対応する反射装置を備えることができる。
【０００５】
非接触近接測定システムによって測定される両機器間の距離に応じて、２つの異なる動作モード、すなわち通常動作モードと短い距離に対して設定される特別動作モードとの間で両機器の少なくとも一方の切替が行われる。その場合、距離なる用語は、距離に応じて測定システムによって測定されうる距離−信号と理解されるべきものとする。ここで両機器間の幾何学的距離に加えて、場合によっては送信機から発射される電磁波の、電磁波を吸収し又は反射する素子による影響も考慮される。言い換えれば、異なる動作モード間の切替に対して決定的なことは、送信機から放射される電磁波の第２機器地点での減衰度である。
【０００６】
第１実施形態では、異なる送信モードにおいて、第１機器の送信機の送信出力は異なる値に調節される。ここで送信出力は段階的に、又は無段階に低減させることができる。第２機器の領域内の許容し得ない強い電磁界強度においては、送信機を自動的に遮断することも可能である。それに対して、非接触で動作する問合せシステムの送信ユニットにより第２機器を危険にさらすことは通常、是認され得ない。そのため問合せシステムは、好ましくは第１機器に内蔵される形態においても、第１機器が反射装置のみを含む形態においても、典型的には一定の動作パラメータ、特に一定送信出力で動作させられる。問合せシステムの動作時に生じる電磁波による第２機器の危険性が除去されなければ、上記とは異なり、両機器間の測定距離に応じて問合せシステムの動作パラメータを変化させることも可能である。
【０００７】
送信出力の変化に対して付加的に、又はそれに代えて、好ましい構成によれば、動作モードに応じて両機器の一方による警報出力が行われる。生成された警報とは関係なく、又はそれに加えて、保護されるべき第２機器の自動遮断の可能性も考えられる。好ましくは、電磁波による危険にさらされる機器はその動作を危険に対して自動的に適合させる。特に好ましい構成においては、非接触近接測定システムによって両機器間の接近を検出した場合、危険にさらす第１機器も危険にさらされる第２機器も共に動作モードの切替が行われる。その場合、動作モード切替の特別な場合として、それぞれ動作の停止も含まれる。
【０００８】
次に図面を参照して本発明の一実施例を詳細に説明する。
【０００９】
例えば病院内に設置された無線ネットワーク１は、図示していない幾つかの固定局に加えて、送信機３を含む典型的には移動型（モバイル型）の第１機器２を備えている。第１機器２、例えば携帯電話又はＷＥＢタブレットの送信機３から放射される電磁波によって、第２機器４、例えば無線ネットワーク１の一部ではない人工呼吸器が危険にさらされる虞がある。
【００１０】
第２機器４は第２機器４に例えばラベルとして貼着されたトランスポンダ（ＴＡＧ）の形の、少なくとも１つ、好ましくは複数の反射装置５を備えている。それに代えて、反射装置５は第２機器４に例えばパイプの形で取付けることもできる。反射装置５は、例えばドイツ国特許第１９７０３８２３号明細書によって公知のごとく、送受信ユニットを含む問合せシステム６と協動する。問合せシステム６の詳細には図示されていない送信機は無線ネットワーク１の必須部分というわけではない。問合せシステム６の送信機から放射される電磁波が図には複数の同心円によってシンボル化されており、問合せシステム６が反射装置５の存在を検出することができる認識領域７を特徴づけている。認識領域７は典型的には１ｍオーダーの距離で拡がっている。このことから、第２機器４を取り囲む破線で示された安全ゾーン８が生じる。第１機器２が安全ゾーン８内へと動かされると、第１機器２が第１動作モードすなわち通常動作モードＮ２から第２動作モードすなわち特別動作モードＳ２に自動的に切り換わる。
【００１１】
特別動作モードＳ２の動作パラメータは調節可能である。その場合、第２機器４を危険にさらすことを回避するために、好ましくは、安全ゾーン８内の第１機器２の送信機３が送信出力を減少し、又は動作を部分的に、又は完全に停止させることが行われる。さらに、第１機器２が安全ゾーン８内に位置する際に、例えば第１機器２が第２機器４の近くにおいて動作することを警告し、又は安全ゾーン８から第１機器２が遠ざかることを促す警報を出力することもできる。
【００１２】
図示の実施例に代えて、危険にさらされる第２機器４も問合せシステム６を備え、他方、送信機３を含む第１機器２が少なくとも１つの反射装置（ＴＡＧ）５を備えることができる。その場合、特に簡単には、問合せシステム６を備えた第２機器４は第１機器２の接近の際に警報を出力することができる。さらに、第２機器４の動作を通常動作モードＮ４から特別動作モードＳ４に切り替えるほぼ非常走行プログラムへの切替によって、第１機器２から放射される電磁波により危険にさらされる事態を停止させることも容易に可能である。第１機器２に反射装置５を配置することにより、第１機器２がワイヤレス問合せシステムを永久装備する必要がなく、必要に応じて、例えば病院のような危険にさらされる領域内に留まる時にのみ、第１機器２に反射装置５を例えば貼着するかクリップ止めするかして取り付けることができるという、さらなる利点が得られる。
【図面の簡単な説明】
【００１３】
【図１】本発明による無線ネットワークの模式図である。
【符号の説明】
【００１４】
１  無線ネットワーク
２  第１機器
３  送信機
４  第２機器
５  反射装置（トランスポンダ）
６  問合せシステム
７  認識領域
８  安全ゾーン
【図１】
2007502066.tif 000003
【国際調査報告】
2007502066.tif 000004
2007502066.tif 000005
2007502066.tif 000006
2007502066.tif 000007